(57)【要約】      （修正有）【課題】携帯電話による商取引操作を行う際の操作性改善を可能とする手段を搭載した携帯電話を提供する。【解決手段】（１）本発明は携帯電話上に個人情報を含む商取引データベースを持たせ、またデータ処理も全て携帯電話上のプログラムで行い、データへのアクセスは本人しかできないようにし充分な機密保護が可能となる。（２）商取引データベースは住所録とその他商取引に必要な項目を持ち、取引先、取扱商品に汎用性を持たせる。（３）画面操作が容易でわかりやすい。（４）［自動設定］ボタン選択だけで全項目入力完了させることができる。（５）定型項目だけではなくその都度必要な入力項目にも対応する。（６）商取引データベースに無い項目の処理も可能。（７）プログラムにブラウザ／メーラー／外部機器よりの外部起動機能を持たせ、様々な情報処理機、情報媒体を通しての商取引を可能とする、等々。【選択図】    図１
2006059305.tif 000002
【特許請求の範囲】
【請求項１】
クライアント１はプロバイダー３よりプログラム８を携帯電話５のプログラム領域６にダウンロード１００する。この時に携帯電話５の記憶装置７にプログラム８のダウンロード先のＵＲＬ１０１を記憶保存し、このＵＲＬは商取引時のクライアント本人認証に使用する。プログラム８のデータベース作成維持機能９で、記憶装置７に商取引データベース１３を作成する。クライアント１はこの商取引データベース１３へ、商取引開始前にデータ入力を行っておく。ホスト２はプロバイダー３より要求項目１０２を作成するために商取引データベース１３の項目一覧１０４の配布を受けておく。クライアント１はホスト２と商取引を行うときは、プログラム８の外部起動機能１０で、記憶保存してあるプログラム８起動用のＵＲＬ１０１をホスト２へ送信する。  ホスト２は受信したＵＲＬ１０１と商取引に必要な要求項目１０２の一覧をセットしたデータを作成し、これをＷｅｂサーバー／外部機器４へ送信し、クライアント１の携帯電話５上のプログラム８を起動させる。起動されたプログラム８の自動設定機能１１は、要求項目１０２の各項目で商取引データベース１３を検索し、該当項目のデータを取得し、要求項目１０２の最初項目を図２の画面のデータ入力域２２に表示し、要求項目１０２へデータをセットし、項目索引へ全項目とその入力済データリストを作成し、入力データ訂正必要個所の訂正処理を行い、入力処理完了後、データ一覧１０３を作成し、プログラム８のデータ送受信機能１２でホスト２へ返信し、取引を完了する。  商取引データベース１３はデータベース制御領域１４、データ領域１５、履歴保存領域１６を備え、データ領域１５は住所録、グループ項目、商取引の領域に分け、それぞれに図３のｉｄ３１、ｎａｍｅ３２、レコード制御３３、データ３４の各項目情報を備える。図２  ２２は起動されたプログラム８の自動設定機能１１処理時の携帯電話の画面であり、見出域１８、コマンド域１９、データ入力域２０、画像表示域２１より成る。データ入力域２０へ表示する要求項目１０２の（１）入力項目（２）選択項目は上端を画面上の決まった行位置（画像表示域上端）に置き、次項目へ移動しても同じ位置に次項目を表示することにより画面移動を不用とする。表示項目はそれぞれの種類、長さ、行数に応じて画像表示域２１に表示できる最大行数に納めて表示し、画面移動を不用とする。  本発明はクライアント１とホスト２の商取引時に、（１）ホスト２側は必要とする要求項目１０２としてのｉｄ一覧を送信するだけでよく、（２）クライアント１側はプログラム８だけで、ホスト１よりの要求項目１０２を受信し、商取引データベース１３を検索し、項目へデータを自動設定し、設定済み全項目を表示し、訂正処理を行い、データ入力完了確認後、送信ボタンを選択して、ホスト２へ要求項目の入力済データ一覧１０３を返信し、画像表示域２１にデータ入力中も絶えずＣＭ画像表示が可能な携帯電話。
【請求項２】
クライアント１とホスト２との商取引で、ホスト側が独自に開発した商取引時の項目入力機能を有するプログラムを使用する時は（プログラム８とは別プログラム）、プログラム８をダウンロードした領域とは別のプログラム領域６にダウンロードする。このプログラムもプログラム８で作成した商取引データベース１３を使用する。このプログラムは必要な要求項目１０２の一覧をセットしたデータのみで起動させ、このプログラムには携帯電話５の図２  ２３画面に全入力項目を従来形式で表示し、商取引データベース１３よりデータを読取り、項目の自動設定、入力済みデータの送信機能を持たせた請求項１記載の入力項目自動設定携帯電話。
【請求項３】
プロバイダー３がプログラム８の開発／提供業務の他に、クライアント１と別の商取引を行う時は、図１のホスト２の役割をプロバイダーが兼用する請求項１記載の入力項目自動設定携帯電話。
【請求項４】
クライアント１とホスト２との商取引で、プログラム８の外部起動機能１０のブラウザ起動機能で、携帯電話５上のプログラムを起動させる時に、図２の画面構成による定位置入力項目でページ移動無しの表示方式図２  ２２ではなく、要求項目１０２の全コンポーネントを表示させる方式図２  ２３を採用する場合は、起動用ｈｔｍｌに全コンポーネントを作成しておき、要求項目１０２の一覧とを組合わせて送信し、全項目と自動設定／送信のコマンドを表示し、要求項目１０２の自動設定を行う請求項１記載の入力項目自動設定携帯電話。ｈｔｍｌコンポーネント項目への自動設定は全項目に対してプログラム８の自動設定機能で入力項目にはデータをセットし、選択項目にはグループ内の項目を選択して入力する。
【請求項５】
クライアント１とホスト２との商取引で、図８の送り状４０のような要求項目１０２が事前に決まっている定型取引は、商取引データベース１３の商取引領域にこの定型取引に必要な項目を作成しておき、この項目にオフラインで定型取引項目データを事前に入力し、取引毎に変わる項目を入力し、その後入力済みデータをデータ送受信機能１２でＷｅｂサーバー／外部機器４へ送信し、再利用のためにこの取引を履歴保存領域１６に保存する請求項１記載の入力項目自動設定携帯電話。
【請求項６】
ホスト２との商取引で、ホストが貨物運送、手紙／葉書集配、小売の事業者で、顧客に出向き又は顧客が来店して発注、受注の定型取引を行う時に、外部機器４としての携帯型印刷機、印刷機能付モバイルコンピュータ、商品販売用の印刷・自動受付機能付自動販売機により送り状印刷、手紙／葉書上へ宛名／差出入印刷、貼付け可能なラベル印刷、取引の自動受付を行う請求項５記載の入力項目自動設定携帯電話。
【請求項７】
クライアント１とホスト２との商取引で、商取引データベース１３を携帯電話５の記憶装置７に作成するときに、内部記憶装置ではなく、取外し可能な外部記憶装置に記憶保存し、プログラム８をダウンロードしたプログラム領域６とは別の領域にダウンロードしたプログラム、他の携帯電話、又は他の情報処理機で商取引を行えるようにした請求項１記載の入力項目自動設定携帯電話。
【請求項８】
クライアント１とホスト２との商取引で、商取引後にプログラム８のデータ送受信機能１２によりホストより受領書、伝票番号、ホストがセットした情報（諸料金、金額、消費税、保険額、納入予定日）及び商取引完了確認情報を受け取れるようにした請求項１記載の入力項目自動設定携帯電話。
【発明の詳細な説明】
【発明の詳細な説明】
【技術分野】  本発明は携帯電話を使用して商取引を行う時に、様々な取引、外部機器に対応できるように携帯電話記憶装置上に商取引用データベースを備え、機密保持のためにこの商取引用データベースはクライアントだけが携帯電話上のプログラムを使用してアクセス可能であり、必要項目のキー入力の手間を省き、「自動設定」ボタンの選択だけで、全項目への入力を可能とした携帯電話。
【背景技術】  従来の携帯電話での商取引のためのデータ入力は、小さな入力キー、表示画面の小ささ、表示文字数の少なさの制約により、データ入力に時間がかかり、画面移動も多く、項目の移動にも手間がかかっていた。図９記事の一部に「入力はおおむね１０回以上で、その作業に１０分以上。最後までたどりつく人は３割程度という実験結果」とあり、データ入力に時間がかかるとの課題に関する記述がある。又オンライ入力による通信費が高くつくという欠点があった。従来技術として（１）特許公開公報「特開２００４−０８６６０１」がある。この技術は事業者へ事前登録が必要であり個人情報の漏洩、特定事業者のみとの取引で他の事業者との取引には使えず  汎用性がなく、顧客が指定できる項目も商品コードのみで特定取引にしか対応していないという課題があった。（２）図９は２００３年８月２日の朝日新聞（夕刊）記事抜粋図である。この技術も事業者へ事前登録が必要であり個人情報の漏洩、定型情報のみでその都度必要情報入力に対応できない、２次元コードでしか商取引ができず、プロバイダーよりホストへの個人／商品情報送信が必要となり商取引にプロバイダーが関与するという課題があった。（３）携帯電話には電話帳はあるが、商取引に使用できる住所録がないという課題があった。特に商取引用で本人に関する情報では性別、生年月日、職種、学歴、結婚／未婚、クレジットカードの重要情報を使用し、従来の電話帳以上に多くの情報が必要であり、又充分な機密管理が必要になるという課題がある。（４）小包発送時の送り状、手紙／葉書の宛名／差出人記入のように定型項目が多く、その都度手書きしなくてはならないという課題がある。
【発明が解決しようとする課題】
従来の携帯電話による取引の機密保護、電話帳はあるが住所録は無い、特定事業者／特定取引のみとの取引、各種の情報処理機／通信手段への対応、携帯電話操作の難しさ、項目へのデータ入力手間、画面上でのページ移動／項目移動の不便さ、商取引で送信したデータの確認方法が無いという課題を解決するためのものである。小包の集荷時、事前に発送伝票を入手し、その都度記入する手間、手紙／葉書のあて先／差出人もその都度記入する手間がかかるという課題があった。
【課題を解決するための手段】
（１）本発明は携帯電話上に個人情報を含む商取引データベースを持たせ、またデータ処理も全て携帯電話上のプログラムで行い、データへのアクセスは本人しかできないようにし充分な機密保護が可能となる。（２）商取引データベースは住所録とその他商取引に必要な項目を持ち、取引先、取扱商品に汎用性を持たせる。（３）画面操作が容易でわかりやすい。（４）［自動設定］ボタン選択だけで全項目入力完了させることができる。（５）定型項目だけではなくその都度必要な入力項目にも対応する。（６）商取引データベースに無い項目の処理も可能。（７）プログラムにブラウザ／メーラー／外部機器よりの外部起動機能を持たせ、様々な情報処理機、情報媒体を通しての商取引を可能とする。（８）携帯電話でデータ処理中の全項目の一覧性が可能になる画面構成を持つ。（９）取引先よりの受領確認を得られるようにする。（１０）小包の集荷時に運送業者の携帯印刷機で送り状の印刷を可能にし、手紙／葉書も郵便局、集配業者に備える印刷機、商品販売用の印刷・自動受付機能付自動販売機で宛名／差出入を手紙／葉書上に、又は貼付用ラベルに印刷可能にする。
【発明を実施するための最良の形態】
【００１】プロバイダー３はクライアント１が携帯電話５でホスト２と商取引時のデータ入力支援用の入力項目自動設定機能を有すプログラム８を開発し、クライアントに提供する。クライアントはこのプログラムをプロバイダーよりダウンロード１００して使用する。この時のダウンロード先のＵＲＬは（１）プロバイダー独自のＵＲＬ（２）１人のクライアント専用ＵＲＬの２種類がある。（２）はクライアントがプロバイダーにクライアントを識別する識別コードを送信し、プロバイダーはこのコードに基ずきクライアント専用のオリジナルＵＲＬを作成し、このパス上にプログラムを置き、このＵＲＬをクライアントに返信し、クライアントはこのオリジナルＵＲＬによりプログラムをダウンロードする。このオリジナルＵＲＬはこのプログラム８を使用した、プロバイダー、クライアント、ホスト間の商取引時のクライアント識別に使用する。  ホスト２は商取引に必要な入力項目の要求項目１０２一覧を作成するため、プロバイダーより事前に商取引データベース１３のデータ領域１５に記憶されている全項目のｉｄ３１、ｎａｍｅ３２、レコード制御３３と全グループ項目の内容を入手しておく。  プログラム８はダウンロード直後の（１）初回起動時は商取引データベース１３の空のデータベースを作成する。（２）通常起動時は商取引データベースへのデータ入出力／更新／削除処理を行う。（３）外部起動時はクライアントとホスト間の商取引を行う。【００２】クライアント１はプログラム８をプロバイダー３より携帯電話５のプログラム領域６にダウンロード１００する。このプログラムはデータベース作成維持機能９、外部起動機能１０、自動設定機能１１、データ送受信機能１２を有す。データベース作成維持機能は（１）パスワード、オリジナルＵＲＬ、プログラムバージョンの管理（２）記憶装置の領域管理（３）空の商取引データベース作成（４）データ入力処理（５）データ更新／削除／追加／検索処理（６）携帯電話固有の電話帳／ブックマーク／スケジューラとの連係によるデータ読書き（７）外部メモリへの読書き（８）画像の読取と表示がある。外部起動機能１０はプログラム８を（１）ブラウザより起動（２）メーラーより起動（３）外部機器より起動（４）ホストが独自に開発したプログラム（プログラム８とは別プログラム）のダウンロードと起動がある。（３）外部機器より起動はＩＣカード／非接触ＩＣカード／ＩＣタグ／２次元バーコード／情報処理機器と電波／赤外線／回線／画像を通じて行う。自動設定機能１１は（１）受信したホスト２よりの要求項目１０２の解析（２）各項目で商取引データベースを検索（３）項目属性と入力済データ取得（４）図２  ２２画面表示（５）全項目自動設定（６）項目索引リストに全項目一覧をセット（７）設定済項目訂正処理（８）全項目設定済データを画面上項目索引リストに追加（９）取引履歴の保存がある。データ送受信機能１２は（１）自動設定済項目データ一覧１０３のホスト２への返信（２）定型取引時の外部機器よりの要求項目１０２の受信とデータ一覧１０３の送信（３）ホストよりの受領確認がある。外部機器にはコンピュータ／モバイルコンピュータ／携帯電話／携帯プリンター／自動販売機／自動商取引受付機／ビデオカメラ／ビデオムービー／外部メモリー／ＩＣカード／非接触ＩＣカード／ＩＣタグ／２次元バーコードの情報処理機器がある。【００３】商取引データベース１３はデータベース制御領域１４、データ領域１５、履歴保存領域１６を備える。データベース制御領域には（１）パスワード、オリジナルＵＲＬ１０１、プログラムバージョンを記憶し（２）記憶装置の各領域の配置、大きさ、実データ件数、実データ桁数（長さ）による領域管理を行う。データ領域は（１）住所録（２）グループ項目（３）商取引の領域に分かれる。履歴保存領域は商取引の再利用のために取引毎に取引用途、項目、項目入力済データを記憶保存する。【００４】データ領域はそれぞれ、項目に関する情報を持った図３の（１）ｉｄ（２）ｎａｍｅ（３）レコード制御（４）データの４タイプの情報を持つ。図３はデータ領域に記憶された住所録（本人）の記憶手段を説明したものである。住所録（本人）３０はデータ管理のためにｉｄ３１，ｎａｍｅ３２，レコード制御３３、データ３４に分けて記憶する。（１）ｉｄ３１は商取引データベース１３に記憶する各項目識別のための英数字よりなる重複のないコードよりなる。（２）ｎａｍｅ３２は画面に項目を表示した時の項目内容を表すもので文字よりなる。（３）レコード制御３３は各項目毎に図４のように６要素よりなる。それぞれの要素には図５にあるようにコード／長さをデータとしてセットする。（４）データ３４は各項目に入力又は選択したデータである。  本発明の項目情報のｉｄ３１，ｎａｍｅ３２はデータ処理を行うプログラム８をＪＡＶＡ言語で作る場合に使用し、プログラムで扱う項目名が英数字という制約があるために、項目識別のために英数字よりなるｉｄ３１を使用している。この制約がない場合はｉｄは使用せず、文字よりなるｎａｍｅ３２を使用することも可能となる。【００５】図４は図３のレコード制御３３の内容で、各項目に対して（１）用途区分（２）設定区分（３）文字区分（４）長さ（５）グループコード（６）データチェックの６要素よりなる。（１）用途区分は各項目の使用用途である。（２）設定区分は各項目のｈｔｍｌでの要素であり、１−２はＴｅｘｔＢｏｘ、３−６は単一選択のＬｉｓｔＢｏｘ、７−８は複数選択のＬｉｓｔＢｏｘ、９−はｐａｓｓｗｏｒｄ，１０はＢｕｔｔｏｎであり、図２の画面に入力項目を表示する時に使用する。（３）文字区分は各項目の文字型の属性である。（４）長さは各項目データの最大桁数である。（５）グループコードは選択項目のコード番号で、商取引データベース１３のグループ項目領域に記憶する時に、グループ毎を識別するために使用する。図３の［性別］の場合［３男性］［３女性］のように’３’のコード番号で性別項目のデータをグループ化する。（６）データチェックはプログラムで項目データ入力時の各項目固有のエラーチェックを行うために使用する。【００６】図２  ２２画面は本発明の商取引データベース１３へのデータエントリー及びホストより要求されている要求項目１０２へのデータエントリー時の画面である。画面は見出域１８、コマンド域１９、データ入力域２０、画像表示域２１より成る。見出域１８は（１）画面見出行（２）項目索引リスト��（３）操作方法行（４）プロンプト表示行（５）項目情報表示行よりなる。（１）画面見出行はプログラム８の処理内容である自動設定、住所録（本人）、住所録（相手）、住所録（連名）、グループデータ、商取引を表示し、各処理時の処理内容及び全項目数と元処理中項目番号を表示する。（２）項目索引リスト行はこの行を選択することにより、処理中の全項目一覧をドロップダウンして表示する。項目へデータを自動設定または入力した時の入力済みデータを表示し、入力内容及び未入力項目の確認に使用する。商取引データベース１３に在る項目か今回のみの一時使用の項目かの識別を表示する。リスト上の項目を選択すると、現在処理中の項目から選択された項目へ処理を移動させられる。（３）操作方法行は表示項目の移動方法及び移動に使用できるキーを表示する。（４）プロンプト表示行は各項目の処理手順及び入力エラーを表示する。（５）項目情報表示行は各項目の属性である項目番号／項目内容／文字区分／長さ／入力・選択区分／設定区分（コンポーネントの種類）を表示する。コマンド域１９には［自動設定］［送信（返信］ボタンを表示する。画像表示域２１はホスト２よりの商品情報に関する画像を表示し、携帯電話でのデータ処理中に絶えずクライアントが見れるように画像が表示され、又項目内容によって画像を変えることも可能である。ホストはこの画像表示域に自社、商品の宣伝、説明のために使用することができる。【００７】図２画面のデータ入力域２０は入力項目を表示する。入力項目には入力項目（ＴｅｘｔＢｏｘ）と選択項目（ＬｉｓｔＢｏｘ）の２種類がある。この入力項目は上端を画面上の決まった行位置に置く。次項目／前項目へ移動しても同じ行位置に項目を表示する。（１）入力項目は各項目に入力最大桁数に合わせてＴｅｘｔＢｏｘの幅、行数を変えて表示する。（２）選択項目は選択する項目数に合わせてＬｉｓｔＢｏｘの高さが図２の画像入力域の最大行数に納まるように表示する。（１）（２）ともに一画面上同一行に表示するために項目の前後移動を行っても各項目が同じ位置に表示されページ移動の必要がなく、スムーズなデータ入力が可能となる。また項目設定が識別できるように（１）（２）の背景色を変え、さらに入力が済むと入力済と判別しやすいように背景色を変えて表示する。【００８】クライアント１はホスト２と商取引を行うときは、プログラム８の外部起動機能１０で、記憶してあるプログラ厶８起動用のＵＲＬ１０１をホスト２へ送信する。ホスト２は受信したＵＲＬ１０１と商取引に必要な要求項目１０２の一覧をセットしたデータを作成する。図６は今回の取引にホストが要求する５項目であり、各項目は図３のｉｄ３１を使用し要求項目のデータ一覧とする。クライアント１の携帯電話５上のプログラム８起動後に要求項目を解析して、各項目で商取引データベース１３を検索し、該当項目のデータを取得し、要求項目へ自動設定機能１１によりデータをセットし、データ一覧１０３を作成し、プログラム８のデータ送受信機能１２でホスト２へ返信し、取引を完了する。  ホストが作成する要求項目のデータは、（１）項目数が少ない場合はメイラー、ブラウザ、外部機器で起動する時のパラメータにデータセットするか、（２）項目数が多い場合はネットワーク・アクセスのプロトコルを使用して送信するときのレスポンスメッセージのボディ部のデータとして送信する。  要求項目への自動設定機能１１によるデータセットはプログラ厶８のメソッドにより（１）入力項目に対してはｓｅｔＴｅｘｔ（“テキストデータ”）（２）選択項目に対してはｓｅｌｅｃｔ／ｄｅｓｅｌｅｃｔ（リスト項目インデックス）により行う。【００９】図３の商取引データベース１３データ領域のデータ３４へのデータセットの手段は入力項目の場合はキー入力した文字／数字／記号よりなるテキストをセットする。選択項目の場合は図７の趣味の６項目から旅行と料理の２つを選んだ場合は、選択された（１）”旅行、料理”のように項目内容をセットする（２）”２，５”ように項目の順番（３）”０１００１０”ように０−非選択１−選択の３タイプのいずれかで利用方法に合わせ、セットして記憶する。【０１０】クライアント１はホスト２と商取引を行うときに、ホストが商取引に必要な要求項目１０２を送信する時に、商取引データベース１３に無い項目を要求する時の手段は以下の２通りの方法がある。（１）ｈｔｍｌに新規項目の要素として作成し、要求項目１０２と同時に送信する。受信したクライアントは要求項目１０２に対しては自動設定機能１１で項目の自動入力を行い、ｈｔｍｌ要素に対しては画面に要素の設定区分に基ずき表示し、キー操作により人手で入力する。（２）要求項目１０２の他に、新規項目用としてｉｄ３１，ｎａｍｅ３２，レコード制御３３を項目毎に設定して一覧表を作成し、要求項目１０２と新規項目一覧表との２グループの要求項目を送信する。受信したクライアントは新規項目を要求項目１０２に追加して画面に表示し、要求項目１０２に対しては自動設定機能１１で項目の自動設定を行い、新規項目に対してはキー操作により人手で入力する。この場合の新規項目は指定により商取引データベース１３の新規項目として登録するか、一時使用として使用するかの方法がある。ｎａｍｅの項目内容、レコード制御の項目属性を変更したい時は、新しいｎａｍｅ、レコード制御をクライアントに送信し、商取引データベース上の項目内容、項目属性を変えて表示、処理に使用する。新規項目は画面表示時の背景色を変えて表示する。項目索引リストに新規項目である標識を付け、クライアントが識別できるようにする。【０１１】商取引データベース１３の商取引領域１５には送り状のような定型取引毎の項目ｉｄ、ｎａｍｅ、レコード制御、データを登録して記憶する。図８は定型取引の送り状４０の場合である。この項目のデータ入力は（１）商取引データベースの住所録を参照して入力する。（２）携帯電話固有の電話帳を参照して入力する。（３）オフラインで事前入力をしておく。（４）自動設定機能１１を使用する。（５）送り状作成時に入力するの方法で行う。  この定型取引は（１）クライアント１はホスト２間で行う他、（２）貨物の集荷時、手紙／葉書の集配時に、運送業者／郵便局／集配業者／小売店の携帯又は設置してある図１のＷｅｂサーバー／外部機器４としてのモバイルコンピュータ、携帯プリンターあるいは印刷機能付情報処理機と通信し、プリンターで送状、手紙／葉書の宛��／差出入を印刷し、受領書、伝票番号を受信する手段で使用する。定型取引は再利用するために入力済み項目を取引毎に履歴保存域１６に記憶保存する。定型取引には発注、受注、申込、予約、登録、契約、発送、受取、宣伝、アンケート、印刷発注、写真プリント発注、保管依頼、仲介依頼がある。
【発明の効果】
本発明は（１）携帯電話の商取引データベースはクライアント（本人）だけが扱え充分な機密保護が可能となる。（２）電話帳しかない携帯電話に住所録を備え商取引用本人情報として性別、生年月日、職種、学歴、結婚／未婚、クレジットカードの重要情報を持ち汎用性のある携帯電話での取引が可能となる。（３）様々な事業者、商品の商取引が可能となる。（４）様々な情報処理機／通信手段を通しての商取引が可能となる。（５）必要項目の自動設定が可能であり、データ入力手間が大幅に軽減される。（６）分かりやすく、操作が容易で、ページ移動を不用とし、処理中の全項目と入力済データの一覧が可能となる。（７）定型項目の自動設定とその都度入力の併用が可能となる。（８）定型業務のオフライン入力が可能であり通信費用の削減が可能となる。（９）商取引完了確認が可能である。（１０）小包集荷時の運送業者の携帯プリンターで送り状印刷、手紙／葉書の集配／投函時の郵便局／小売店／集配業者に備える携帯プリンター又は商品販売用の印刷・自動受付機能付自動販売機による手紙／葉書上又は貼付け可能ラベル上にあて先／差出入印刷し、受領書の受取りが可能になる。（１１）項目入力画面上にＣＭ用画像を絶えず表示できる（１２）商取引データベースを外部記憶装置に作成でき、他の携帯電話、情報処理装置で使用が可能。
【図面の簡単な説明】
【図１】本発明の全体関連図
【図２】本発明の項目入力時と従来の項目入力時の画面図
【図３】住所録（本人）全項目と全項目に対する４タイプ情報とその内訳説明図
【図４】図３のレコード制御情報の詳細説明図
【図５】図３住所録レコード制御情報へのデータセット後の説明図
【図６】商取引でホストが要求する要求項目１０２内容の説明図
【図７】グループ項目「趣味」の選択項目入力時全項目とその選択方法説明図
【図８】「送り状」定型取引を記憶する時の３タイプ情報とその内訳説明図
【図９】従来技術の説明用新聞記事抜粋図
【符号の説明】
１  全体関連図中の商取引におけるクライアント（顧客）  ２  全体関連図中の商取引におけるホスト（取引先事業者）  ３  全体関連図中の商取引におけるプロバイダー（プログラム開発者）  ４  全体関連図中のインターネット・サーバ又は外部情報処理機器  ５  本発明携帯電話  ６  携帯電話内のプログラム用記憶領域  ７  携帯電話内のデータベース用記憶領域  ８  プログラム用記憶領域内のアプリケーションプログラム  ９  アプリケーションプログラ厶の一部であるデータベース作成／維持機能１０  アプリケーションプログラムの一部である外部よりの起動を行う機能１１  アプリケーションプログラムの一部である要求項目のデータ自動設定機能１２  アプリケーションプログラムの一部である外部機器との通信機能１３  データベース用記憶領域内の商取引用データベース１４  商取引用データベースの一領域であるデータベース全体を管理する領域１５  商取引用データベースの一領域である住所録と複数選択項目と定型取引を管理する領域１６  商取引用データベースの一領域である再利用に取引履歴を保存する領域１００  クライアントのプロバイダーよりのダウンロード処理１０１  プログラムダウンロード先のＵＲＬ１０２  商取引におけるホストが要求する必要な項目ｉｄ一覧１０３  クライアントの要求された項目への自動設定後の入力済データ一覧１０４  商取引データベースのｉｄ、ｎａｍｅ、レコード制御、グループデータ一覧表２２  自動設定における定位置項目表示を行う本発明項目入力携帯電話画面２３  全入力項目表示中の従来形式項目入力携帯電話画面３０  商取引用データベースに登録する住所録（本人）全項目３１  住所録（本人）のデータとしてのｉｄ（項目識別用情報）３２  住所録（本人）のデータとしてのｎａｍｅ（表示時項目識別用情報）３３  住所録（本人）のデータとしてのレコード制御（項目属性情報）３４  住所録（本人）のデータとしてのデータ（入力／選択された項目データ）４０  商取引データベース商取引領域に記憶する定型取引としての送り状内容
【図１】
2006059305.tif 000003
【図２】
2006059305.tif 000004
【図３】
2006059305.tif 000005
【図４】
2006059305.tif 000006
【図５】
2006059305.tif 000007
【図６】
2006059305.tif 000008
【図７】
2006059305.tif 000009
【図８】
2006059305.tif 000010
【図９】
2006059305.tif 000011